【事件の表示】
　特許第３０２９５０６号「交流発電機」の請求項１に係る特許に対する特許異議の申立てについて、次のとおり決定する。
【結　論】
　訂正を認める。
　特許第３０２９５０６号の請求項１に係る特許を取り消す。
【理　由】
１．手続の経緯
　本件特許第３０２９５０６号は、平成４年６月１２日に特許出願され、平成１２年２月４日にその特許の設定登録がされた。その後、請求項１に係る発明の特許に対して、特許異議の申立てが伊藤実和子よりなされて、取消理由通知がなされ、その指定期間内である平成１３年２月２２日に訂正請求がなされた。
　
２．訂正の適否についての判断
ア．訂正の要旨
　（ｉ）訂正事項ａ
【特許請求の範囲】の【請求項１】の記載において、
「【請求項１】回転軸に取り付けられかつ爪形磁極を有する突極形回転子と、この突極形回転子を囲んで設けられた固定子とからなる交流発電機において、上記爪形磁極の上記固定子側に上記回転軸の軸方向に沿って空隙を有するスリットを一磁極に対して１本ずつ設けると共に、上記スリットの幅は上記爪形磁極の先端の円周方向幅より狭く構成したことを特徴とする交流発電機。」を、明瞭でない記載の釈明を目的として、
「【請求項１】回転軸に取り付けられかつ爪形磁極間に保持された励磁コイルを有する突極形回転子と、この突極形回転子を囲んで設けられ、かつ上記爪形磁極とエアギャップを介して対向し固定子コイルを装着して磁路を形成してなる固定子鉄心を有する固定子とからなる交流発電機において、上記爪形磁極の上記固定子鉄心側に上記回転軸の軸方向に沿って空隙を有するスリットを一磁極に対して１本ずつ設けると共に、上記スリットの幅は上記爪形磁極の先端の円周方向幅より狭く構成したことを特徴とする交流発電機。」と訂正する。
　これに伴い、特許請求の範囲と発明の詳細な説明の記載との整合を図るため、明瞭でない記載の釈明を目的として、特許明細書の段落番号【０００６】において、
「【課題を解決するための手段】この発明にかかる交流発電機の突極形回転子は、磁極に軸方向にスリットを設けたものである。」とあるのを、
「【課題を解決するための手段】この発明においては、回転軸に取り付けられかつ爪形磁極間に保持された励磁コイルを有する突極形回転子と、この突極形回転子を囲んで設けられ、かつ上記爪形磁極とエアギャップを介して対向し固定子コイルを装着して磁路を形成してなる固定子鉄心を有する固定子とからなる交流発電機において、
　上記爪形磁極の上記固定子鉄心側に上記回転軸の軸方向に沿って空隙を有するスリットを一磁極に対して一本ずつ設けると共に、上記スリットの幅を上記爪形磁極の先端の円周方向幅より狭く構成したものである。」と訂正する。
　また、特許請求の範囲と発明の詳細な説明の記載との整合を図るため、明瞭でない記載の釈明を目的として、特許明細書の段落番号【００１５】において、
「【発明の効果】以上のように、この発明によれば、磁極に軸方向にスリットを設けたので、磁極頭部の磁束の過度な片寄りが緩和され、電磁騒音が低減される。また、スリットが１つの爪形磁極に対して１本のみ設けられると共に、スリットの幅が爪形磁極の先端の円周方向幅より小さく構成されているので、固定子との対向面積を確保でき、磁気抵抗の増大による出力低下を防止できる。」とあるのを、
「【発明の効果】以上のように、この発明によれば、回転軸に取り付けられかつ爪形磁極間に保持された励磁コイルを有する突極形回転子と、この突極形回転子を囲んで設けられ、かつ上記爪形磁極とエアギャップを介して対向し固定子コイルを装着して磁路を形成してなる固定子鉄心を有する固定子とからなる交流発電機において、上記爪形磁極の上記固定子鉄心側に上記回転軸の軸方向に沿って空隙を有するスリットを設けたので、磁極頭部の磁束の過度な片寄りが緩和され、電磁騒音が低減される。また、スリットが１つの爪形磁極に対して１本のみ設けられると共に、スリットの幅が爪形磁極の先端の円周方向幅より小さく構成されているので、固定子との対向面積を確保でき、磁気抵抗の増大による出力低下を防止できる。」と訂正する。
　（ｉｉ）訂正事項ｂ
　特許明細書の段落番号【０００７】において、
「【作用】この発明においては、磁極頭部における磁束の一方側への過度の片寄りが、スリットにより緩和され、エアギャップでの磁束の過度の高密度が低減され、この部分による磁気吸引力が下がり、電磁騒音が低減される。」を、明瞭でない記載の釈明を目的として、
「【作用】この発明においては、磁極頭部における磁束の一方側への過度の片寄りが、スリットにより緩和され、エアギャップでの磁束の過度の高密度が低減され、この部分による磁気吸引力が下がり、電磁騒音が低減される。また、爪形磁極における固定子との対向面積を確保でき、磁気抵抗の増大による出力低下を防止できる。」と訂正する。
　
イ．訂正の目的の適否、新規事項の有無及び拡張・変更の存否についての判断訂正
　(a)訂正事項ａ、ｂについて
　上記訂正事項ａ、ｂは、明りょうでない記載の釈明に該当し、新規事項の追加に該当せず、実質的に特許請求の範囲を拡張又は変更するものではない。
　
ウ．むすび
　以上のとおりであるから、上記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書き、第２項の規定に適合するので、当該訂正を認める。 
　
３．本件発明
　本件特許第３０２９５０６号の請求項１に係る発明は、本件訂正明細書の特許請求の範囲の請求項１に記載された以下のとおりのものである。
「【請求項１】回転軸に取り付けられかつ爪形磁極間に保持された励磁コイルを有する突極形回転子と、この突極形回転子を囲んで設けられ、かつ上記爪形磁極とエアギャップを介して対向し固定子コイルを装着して磁路を形成してなる固定子鉄心を有する固定子とからなる交流発電機において、上記爪形磁極の上記固定子鉄心側に上記回転軸の軸方向に沿って空隙を有するスリットを一磁極に対して１本ずつ設けると共に、上記スリットの幅は上記爪形磁極の先端の円周方向幅より狭く構成したことを特徴とする交流発電機。」
　
４．引用刊行物記載の発明
　当審における取消理由通知において引用した、引用例１（特表平２−５０１９７３号公報）には、「クローポールロータを有する交流発電機」（発明の名称）が記載され、図面と共に、以下の記載がある。
「三相交流発電機１０は金属製のケーシング１１として２つのコップ状の支承シールド１２、１３を有し、これら支承シールドの開放された端面範囲１４、１５の間にはステータ１６が固定されている。ステータ１６と両支承シールド１２、１３とを結合するために締付け部材１７としてスタッドボルトが用いられ、このスタッドボルトは両支承シールド１２、１３内に固定されている。支承シールド１２、１３はそれぞれクローポールロータ２０を回転可能に受容するために球軸受け１８、１９を有している。・・・
ステータ１６は互いに絶縁された薄板（積層板）から構成されていて、この薄板は磁化可能な鉄から形成され・・・ほぼ環状のステータ１６はステータ孔２１内に交流巻線２３を受容するための溝２２を有している。」（２頁左下欄１９行〜右下欄１３行）、
「クローポールロータ２０はほぼ球軸受け１８、１９に回転可能に受容されるロータ軸２５と、このロータ軸２５に相互間隔をおいて固定された、クローポール２８、２９を備えた２つのポールホィール２６、２７と、両ポールホィール２６、２７間に配置された、ロータ軸２５にかぶせ嵌められる磁化可能な材料から成るポールコア３０と、ポールコア３０に巻付けられた、両ポールホィール２６によって並びにロータ軸２５に対してほぼ平行に延びるクローポール８、２９によってつかまれた励磁巻線３１と、同様にロータ軸２５に間隔をおいて並べて固定された２つのスリップリング３２、３３とから構成されていて、このスリップリングは励磁巻線のそれぞれ一端に電気的に接続されている。」 （２頁右下欄１４行〜３頁左上欄７行）
　すなわち、引用例１には、ロータ軸に取り付けられかつクローポール間に保持された励磁巻線を有するクローポールロータと、このクローポールロータを囲んで設けられ、かつ上記クローポールとエアギャップを介して対向し交流巻線を装着して磁路を形成してなる鉄心を有するステータとからなる交流発電機が記載されていると認められる。
　同じく、取消理由通知において引用された、引用例２（特開昭４８−１８０７号公報）には、「無整流子電動機用同期機」（発明の名称）が記載され、図面と共に以下の記載がある。
　「第２図Ａは、この発明の同期機の一実施例の磁極構造を示す概略断面図で、磁極（４）及び磁路（５）は直軸磁路にそって非磁性部分（例えば非磁性金属溶接）（７）で分割されている。界磁コイル（６）は上記磁路（５）をかこんで巻かれている。
　次ぎに上記第２図Ａに示した構成について、磁路の形成を示すための図を同図Ｂに示し、φｆを附して示した矢印は直軸磁路である。他方、点線で示したφａの矢印は横軸磁路である。
　さて、従来、この横軸磁束φａによる磁極面近傍における電機子反作用が大きかった。これに対して、この発明の同期機は非磁性部分（７）が上記電機子反作用の磁路（横軸）に入るため、電機子反作用を大幅に軽減する。且つ界磁磁路（直軸に対しては、上記非磁性部分（７）は磁路に入らないのでほとんど影響しない。」（２頁右上欄５行〜２０行）、
「第９図は、ランデル形として周知のブラシレス同期機に適用したこの発明の更に他の実施例を示す磁極（ローター）の概略図で、図Ａはその側面図、図Ｂは正面図、図Ｃは図ＡのＣ−Ｃ断面図である。図において（７）として示した部分が非磁性金属または切り込み部で、電機子反作用磁路が深かく磁束受け渡し面（８８）の方へ入り込んで、その時期抵抗増大により電機子反作用が抑制されるようになっている。」（３頁左上欄１９行〜左下欄８行）
　すなわち、引用例２には、ランデル形の同期機、すなわち、爪形の回転子の磁極を備える同期機において、爪形磁極の固定子鉄心側に回転軸の軸方向に沿って空隙を有するスリットを一磁極に対して１本ずつ設けると共に、上記スリットの幅は上記爪形磁極の先端の円周方向幅より狭く構成することが開示されていると認められる。
　
５．比較・検討
（比較）
　訂正明細書の請求項１に係る発明と引用例１とを比較すると、引用例１のロータ軸、クローポールロータ、クローポール、交流巻線、及び、ステータは、訂正明細書の請求項１に係る発明における、回転軸、突極形回転子、爪形磁極、固定子コイル、及び、固定子に相当するから、訂正明細書の請求項１に係る発明と引用例１とは、回転軸に取り付けられかつ爪形磁極間に保持された励磁コイルを有する突極形回転子と、この突極形回転子を囲んで設けられ、かつ上記爪形磁極とエアギャップを介して対向し固定子コイルを装着して磁路を形成してなる固定子鉄心を有する固定子とからなる交流発電機である点で一致し、
訂正明細書の請求項１に係る発明が、爪形磁極の上記固定子鉄心側に上記回転軸の軸方向に沿って空隙を有するスリットを一磁極に対して１本ずつ設けると共に、上記スリットの幅は上記爪形磁極の先端の円周方向幅より狭く構成しているのに対し、引用例１はこの構成を備えていない点で相違が認められる。
（検討）
　本件訂正明細書の請求項１に係る発明において、爪形磁極に回転軸の軸方向に沿って空隙を有するスリットを設けた目的は、図８及び「爪形磁極５ａ、６ａと固定子鉄心２の磁束分布を、図８に説明図で示す。固定子コイル３に電流が流れると、反作用により界磁極からの磁束Φが一方では打消し合い、他方では強め合う。これにより、突極形の界磁極では極を通る磁束Φが片寄り、エアギャップの磁束密度が非常に高い部分ができ、磁気吸引力が過度に増加することになる。
【発明が解決しようとする課題】
　上記のような従来の交流発電機の突極形回転子では、エアギャップでの磁束密度が非常に高い部分ができ、磁気吸引力の不均一が増大し電磁騒音の原因となるという問題点があった。
　この発明は、上記のような問題点を解決するためになされたもので、磁極における高磁束密度の過度の片寄りによる電磁騒音を低減した、交流発電機の突極形回転子を得ることを目的としている。」（本件明細書段落【０００４】、【０００５】）との記載から、回転子の磁極内部において、回転子の半径方向の磁束が回転子の回転方向に沿って曲げられることで、回転子の回転方向と平行な方向に向かう磁束が形成され、これによって生じる磁束分布の片寄りを低減するために、爪形磁極に回転軸の軸方向に沿って空隙を有するスリットを設けることによって、回転子の回転方向と平行な方向に向かう磁束を低減するようにしたものと認められる。
　一方、引用例２には、爪形磁極において、横軸磁束による磁極面近傍における電機子反作用を低減するために、回転子の回転方向と平行な方向に向かう磁束を低減させるべく、爪形磁極に回転軸の軸方向に沿って空隙を有するスリットを設けることが開示されており、同期機の電機子反作用を低減することによって、同期機におけるトルク変動を低減し、結果的に、電磁騒音を低減していると認められる。
　したがって、引用例２には、「磁極における高磁束密度の過度の片寄りによる電磁騒音を低減」するという本件訂正明細書の請求項１に係る発明が解決しようとする課題については直接的な記載はないものの、電磁騒音を低減するために、回転子の回転方向と平行な方向に向かう磁束を低減するという観点においては、共通するものといえる。
　そして、発電機及び同期機等のモータは、産業の利用分野としては一応の相違はあるものの、上位の概念においては、いずれも回転機器という同一の技術分野に属するものということができる。
　また、電気的エネルギーを機械的運動（例えば、回転運動）に変換するものをモータと呼び、逆に機械的運動（例えば、回転運動）を電気的エネルギーに変換するものを発電機と呼ぶのであって、モータと発電機は基本的に同様な構造を備え、技術的な動作原理が共通していることは明らかである。
　そして、発電機の電磁騒音を低減しようとするという課題は周知であり、しかも、発電機とモータの技術分野は密接に関連しており、発電機の発明にあたっては、モータ、すなわち同期機における技術を、当業者は当然に考慮するものである、というべきであるから、引用例１において、本件訂正明細書の請求項１に係る発明と同様な、電磁騒音を低減するという課題を解決するための手段が開示された、同期機に係る引用例２の構成を採用し、爪形磁極の上記固定子鉄心側に上記回転軸の軸方向に沿って空隙を有するスリットを一磁極に対して１本ずつ設けると共に、上記スリットの幅は上記爪形磁極の先端の円周方向幅より狭く構成するようにすることは、当業者が容易に想到し得たものと認められる。
　そして、本件訂正明細書の請求項１に係る発明の「爪形磁極の上記固定子鉄心側に上記回転軸の軸方向に沿って空隙を有するスリットを設けたので、磁極頭部の磁束の過度な片寄りが緩和され、電磁騒音が低減される。また、スリットが１つの爪形磁極に対して１本のみ設けられると共に、スリットの幅が爪形磁極の先端の円周方向幅より小さく構成されているので、固定子との対向面積を確保でき、磁気抵抗の増大による出力低下を防止できる。」という作用効果は、引用例１、２から当業者が予測し得る範囲のものである。
　したがって、本件訂正明細書の請求項１に係る発明は、引用例１、２に基づいて、当業者が容易に発明できたものであると認められるから、特許法第２９条２項の規定により、特許を受けることができないものである。
　
６．むすび
　以上のとおりであるから、本件訂正明細書の請求項１に係る発明についての特許は拒絶の査定をしなければならない特許出願に対してされたものと認める。
　よって、平成６年改正法附則第１４条の規定に基づく、特許法等の一部を改正する法律の施行に伴う経過措置を定める政令（平成７年政令第２０５号）第４条第２項の規定により、本件発明についての特許は、特許法第１１３条第２号に該当し、取り消されるべきものである。
　よって、結論のとおり決定する。
【異議決定日】
平成１３年３月５日（２００１．３．５）
【訂正の要旨】
訂正の要旨
　（ｉ）訂正事項ａ
　【特許請求の範囲】の【請求項１】の記載において、
「【請求項１】回転軸に取り付けられかつ爪形磁極を有する突極形回転子と、この突極形回転子を囲んで設けられた固定子とからなる交流発電機において、上記爪形磁極の上記固定子側に上記回転軸の軸方向に沿って空隙を有するスリットを一磁極に対して１本ずつ設けると共に、上記スリットの幅は上記爪形磁極の先端の円周方向幅より狭く構成したことを特徴とする交流発電機。」を、明瞭でない記載の釈明を目的として、
「【請求項１】回転軸に取り付けられかつ爪形磁極間に保持された励磁コイルを有する突極形回転子と、この突極形回転子を囲んで設けられ、かつ上記爪形磁極とエアギャップを介して対向し固定子コイルを装着して磁路を形成してなる固定子鉄心を有する固定子とからなる交流発電機において、上記爪形磁極の上記固定子鉄心側に上記回転軸の軸方向に沿って空隙を有するスリットを一磁極に対して１本ずつ設けると共に、上記スリットの幅は上記爪形磁極の先端の円周方向幅より狭く構成したことを特徴とする交流発電機。」と訂正する。
　これに伴い、特許請求の範囲と発明の詳細な説明の記載との整合を図るため、明瞭でない記載の釈明を目的として、特許明細書の段落番号【０００６】において、
「【課題を解決するための手段】この発明にかかる交流発電機の突極形回転子は、磁極に軸方向にスリットを設けたものである。」とあるのを、
「【課題を解決するための手段】この発明においては、回転軸に取り付けられかつ爪形磁極間に保持された励磁コイルを有する突極形回転子と、この突極形回転子を囲んで設けられ、かつ上記爪形磁極とエアギャップを介して対向し固定子コイルを装着して磁路を形成してなる固定子鉄心を有する固定子とからなる交流発電機において、
　上記爪形磁極の上記固定子鉄心側に上記回転軸の軸方向に沿って空隙を有するスリットを一磁極に対して一本ずつ設けると共に、上記スリットの幅を上記爪形磁極の先端の円周方向幅より狭く構成したものである。」と訂正する。
　また、特許請求の範囲と発明の詳細な説明の記載との整合を図るため、明瞭でない記載の釈明を目的として、特許明細書の段落番号【００１５】において、
「【発明の効果】以上のように、この発明によれば、磁極に軸方向にスリットを設けたので、磁極頭部の磁束の過度な片寄りが緩和され、電磁騒音が低減される。また、スリットが１つの爪形磁極に対して１本のみ設けられると共に、スリットの幅が爪形磁極の先端の円周方向幅より小さく構成されているので、固定子との対向面積を確保でき、磁気抵抗の増大による出力低下を防止できる。」とあるのを、
「【発明の効果】以上のように、この発明によれば、回転軸に取り付けられかつ爪形磁極間に保持された励磁コイルを有する突極形回転子と、この突極形回転子を囲んで設けられ、かつ上記爪形磁極とエアギャップを介して対向し固定子コイルを装着して磁路を形成してなる固定子鉄心を有する固定子とからなる交流発電機において、上記爪形磁極の上記固定子鉄心側に上記回転軸の軸方向に沿って空隙を有するスリットを設けたので、磁極頭部の磁束の過度な片寄りが緩和され、電磁騒音が低減される。また、スリットが１つの爪形磁極に対して１本のみ設けられると共に、スリットの幅が爪形磁極の先端の円周方向幅より小さく構成されているので、固定子との対向面積を確保でき、磁気抵抗の増大による出力低下を防止できる。」と訂正する。
（ｉｉ）訂正事項ｂ
　特許明細書の段落番号【０００７】において、
「【作用】この発明においては、磁極頭部における磁束の一方側への過度の片寄りが、スリットにより緩和され、エアギャップでの磁束の過度の高密度が低減され、この部分による磁気吸引力が下がり、電磁騒音が低減される。」を、明瞭でない記載の釈明を目的として、
「【作用】この発明においては、磁極頭部における磁束の一方側への過度の片寄りが、スリットにより緩和され、エアギャップでの磁束の過度の高密度が低減され、この部分による磁気吸引力が下がり、電磁騒音が低減される。また、爪形磁極における固定子との対向面積を確保でき、磁気抵抗の増大による出力低下を防止できる。」と訂正する。
（５４）【発明の名称】
交流発電機
（５７）【特許請求の範囲】
　【請求項１】　回転軸に取り付けられかつ爪形磁極
間に保持された励磁コイル
、かつ上記爪形磁極とエアギャップを介して対向し固定子コイルを装着して磁路を形成してなる固定子鉄心を有する
　上記爪形磁極の上記固定子
鉄心
【発明の詳細な説明】
　【０００１】
　【産業上の利用分野】　
　この発明は、回転子の突極鉄心に励磁コイルを装着した、交流発電機の突極形回転子に関する。
　【０００２】
　【従来の技術】
　図７は従来の交流発電機の突極回転子及び固定子の部分縦断面図で、車両用の場合を示す。図において、１は固定子で、固定子鉄心２に固定子コイル３を装着している。４は突極形回転子で、次のように構成されている。５及び６は異極性の磁極鉄心で、双方の爪形磁極５ａ及び６ａが円周方向に交互に出されている。７は双方の磁極鉄心５、６間に保持された励磁コイル、８は磁極鉄心５、６を固着した回転軸である。なお、回転軸８にはスリップリングを装着しているが、図示は略している。
　【０００３】
　上記回転子４を回転させ、励磁コイル７に通電すると、爪形磁極６ａから出た磁束がエアギャップを経て固定子鉄心２を通り、エアギャップを経て爪形磁極５ｂに入る。これにより、固定子コイル３に交流電圧が誘起され負荷に供給する。
　【０００４】
　上記爪形磁極５ａ、６ａと固定子鉄心２の磁束分布を、図８に説明図で示す。固定子コイル３に電流が流れると、反作用により界磁極からの磁束φが一方では打消し合い、他方では強め合う。これにより、突極形の界磁極では極を通る磁束φが片寄り、エアギャップの磁束密度が非常に高い部分ができ、磁気吸引力が過度に増加することになる。
　【０００５】
　【発明が解決しようとする課題】
　上記のような従来の交流発電機の突極形回転子では、エアギャップでの磁束密度が非常に高い部分ができ、磁気吸引力の不均一が増大し電磁騒音の原因となるという問題点があった。
　この発明は、上記のような問題点を解決するためになされたもので、磁極における高磁束密度の過度の片寄りによる電磁騒音を低減した、交流発電機の突極形回転子を得ることを目的としている。
　【０００６】
　【課題を解決するための手段】
　この発明に
おいては、回転軸に取り付けられかつ爪形磁極間に保持された励磁コイルを有する突極形回転子と、この突極形回転子を囲んで設けられ、かつ上記爪形磁極とエアギャップを介して対向し固定子コイルを装着して磁路を形成してなる固定子鉄心を有する固定子とからなる交流発電機において、
　
上記爪形磁極の上記固定子鉄心側に上記回転軸の軸方向に沿って空隙を有するスリットを一磁極に対して一本ずつ設けると共に、上記スリットの幅は上記爪形磁極の先端の円周方向幅より狭く構成した
　【０００７】
　【作用】
　この発明においては、磁極頭部における磁束の一方側への過度の片寄りが、スリットにより緩和され、エアギャップでの磁束の過度の高密度が低減され、この部分による磁気吸引力が下がり、電磁騒音が低減される。
また、爪形磁極における固定子との対向面積を確保でき、磁気抵抗の増大による出力低下を防止できる。
　【０００８】
　【実施例】
実施例１．
　図１はこの発明の実施例１による突極形回転子の磁極を爪形磁極の場合を展開図で示し、（Ａ）図は平面図で、（Ｂ）図は側面部である。磁極鉄心５、６の爪形磁極５ａ、６ａには軸方向のスリット５ｂ、６ｂが上部から設けられている。なお、この発明の一実施例による突極形回転子の構成は、磁極５ａ、６ａにスリット５ｂ、６ｂを設けた外は図７と同様である。
　【０００９】
　スリット５ｂ、６ｂが設けられた爪形磁極５ａ、６ａと固定子鉄心２の磁束分布を、図２に説明図で示す。爪形磁極５ａ、６ａにはスリット５ｂ、６ｂがあるので、磁束φの片寄りの度合が抑制され、磁極部で磁気飽和させ、エアギャップの磁束密度が余り高くならないようにしている。
　【００１０】
　固定子コイル３に電流が流れていないときは、磁束の片寄りはないので、同一回転速度であればスリットなしと同等の起電力特性を得る。高速回転時では、固定子コイル３のリアクタンスにより電流位相が界磁起磁力の位相に対し約π／２遅れるので、磁極のほとんどの磁束は固定子コイル３の反作用により弱められ、これもスリットなしと同等の特性を得る。低速回転で発電開始すると、固定子コイル３のリアクタンスが小さいので、固定子電流の位相は界磁起磁力の位相に対しπ／４遅れ、起磁力を強め合う方に片寄ろうとする。しかし、スリット５ｂ、６ｂがあるため、起磁力を弱め合う方の磁束は強め合う方へは回らず、強め合う方の磁束は極部分の磁気飽和により、余り磁束は増えず磁束密度は余り高くならない。これにより、磁気吸引力はそれ程大きくはならず、電磁騒音は低いレベルとなる。
　又、本願発明においては、図１に示されるように、スリットが１つの爪形磁極に対して１本のみ設けられると共に、スリット６ｂの幅５ａが爪形磁極６ａの先端の円周方向幅６ｃより小さく構成されている。即ち、スリットの幅が大きいと磁気抵抗が増大し、出力が低下するが、本願発明のようにスリット幅を狭く構成することにより、固定子との対向面積を確保できるので、磁気抵抗の増大による出力低下を防止できる。
　【００１１】
実施例２．
　図３（Ａ）及び（Ｂ）は、この発明の実施例２による回転子の爪形磁極の展開した平面図及び側面図である。爪形磁極５ａ、６ａには、軸方向のスリット５ｃ、６ｃを、回転方向に対し後端寄りに設けている。爪形磁極５ａ、６ａの回転方向に対し後端側に磁束が片寄る度合が、スリット５ｃ、６ｃにより抑制されている。
　【００１２】
実施例３．
　図４（Ａ）及び（Ｂ）は、この発明の実施例３による回転子の爪形磁極の展開した平面図及び側面図である。爪形磁極５ａ、６ａには、１対の軸方向のスリット５ｄ、６ｄを円周方向に対し両側に設けている。このように、両側１対のスリット５ｄ、６ｄにより、回転方向がいずれの方向であっても、磁束の片寄りの度合が抑制される。
　【００１３】
実施例４．
　図５はこの発明の実施例４による回転子の磁極の側面図である。磁極１０は一般の突極の場合で、励磁コイル１１が装着されている。界磁極１０には軸方向のスリット１０ａが設けられており、磁束の片寄りをある程度に制限している。
　【００１４】
実施例５．
　図６はこの発明の実施例５による回転子の爪形磁極の展開した側面図である。爪形磁極５ａ、６ａのスリット５ｂ、６ｂに非磁性充てん材（例えば合成樹脂材）１２を充てんしている。爪形磁極５ａ、６ａはスリット５ｂ、６ｂを設けているので、回転子が高速回転時に振動を発生し騒音となることがある。しかし、スリット５ｂ、６ｂに非磁性充てん材１２を充てんしているので、高速回転時での爪形磁極５ａ、６ａの振動が抑制され、騒音が低減できる。
　【００１５】
　【発明の効果】
　以上のように、この発明によれば、
回転軸に取り付けられかつ爪形磁極間に保持された励磁コイルを有する突極形回転子と、この突極形回転子を囲んで設けられ、かつ上記爪形磁極とエアギャップを介して対向し固定子コイルを装着して磁路を形成してなる固定子鉄心を有する固定子とからなる交流発電機において、
　
上記爪形磁極の上記固定子鉄心側に上記回転軸の軸方向に沿って空隙を有する
また、スリットが１つの爪形磁極に対して１本のみ設けられると共に、スリットの幅が爪形磁極の先端の円周方向幅より小さく構成されているので、固定子との対向面積を確保でき、磁気抵抗の増大による出力低下を防止できる。
【図面の簡単な説明】
　【図１】
　（Ａ）及び（Ｂ）図はこの発明の実施倒１による回転子の爪部磁極の展開した平面図及び側面図である。
　【図２】
　　図１の爪部磁極と固定子鉄心の磁束分布を示す説明図である。
　【図３】
　（Ａ）及び（Ｂ）図はこの発明の実施例２による回転子の爪部磁極の展開した平面図及び側面図である。
　【図４】
　（Ａ）及び（Ｂ）図はこの発明の実施例３による回転子の爪形磁極の展開した平面図及び側面図である。
　【図５】
　　この発明の実施例４による回転子の磁極の側面図である。
　【図６】
　　この発明の実施例５による回転子の磁極の爪形磁極の展開した側面図である。
　【図７】
　　従来の交流発電機の突極形回転子及び固定子を示す部分縦断面図である。
　【図８】
　　図７の爪形磁極と固定子鉄心の磁束分布を示す説明図である。
　【符号の説明】
　４　　　　　回転子
　５、６　　　磁極鉄心
　５ａ、６ａ　爪形磁極
　５ｂ、６ｂ　スリット
　５ｃ、６ｃ　スリット
　５ｄ、６ｄ　スリット
　１０　　　　磁極
　１０ａ　　　スリット
　１２　　　　非磁性充てん材